(57)【特許請求の範囲】
【請求項１】
上框面などに固定され下方に略々Ｌ字状に対向する対の走行面を備えるレールとレールの走行面を走行するランナ部材を引戸の上端面に備えた上吊式の引戸装置において、
シート状を呈して表面に歯車面を有するラックシートと、上記歯車面に係合する歯車機構が突出されてなる駆動ユニットとからなる自閉引戸ユニットを備え、
前記ラックシートは、前記レールの走行面の外側に沿うと同時に少なくともレールの長さ方向の中間部にわたって固着され、
前記駆動ユニットは、引戸の開閉方向における戸板の略々中央の上端面に埋設され、該駆動ユニットには引戸の解放位置から閉鎖位置に向かって歯車機構に駆動力を付与する駆動機構が内蔵されることを特徴とする自閉式引戸装置。
【請求項２】
床面または下框面などに固定されるレールとレールを走行するランナ部材を引戸の下端面に備えた下荷重式の引戸装置において、
シート状を呈して表面に歯車面を有するラックシートと、上記歯車面に係合する歯車機構が突出されてなる駆動ユニットとからなる自閉引戸ユニットを備え、
前記ラックシートは、上框面に沿うと同時に少なくとも上框面の長さ方向の中間部にわたって固着され、
前記駆動ユニットは、引戸の開閉方向における戸板の略々中央の上端面に埋設され、駆動ユニットには引戸の解放位置から閉鎖位置に向かって歯車機構に駆動力を付与する駆動機構が内蔵されることを特徴とする自閉式引戸装置。
【請求項３】
請求項１または２記載の自閉式引戸装置において、ラックシートの裏面には両面シートが敷設されていることを特徴とする自閉式引戸装置。
【請求項４】
請求項１〜３のいずれか記載の自閉式引戸装置において、駆動ユニットには回転によってバネ力を蓄積するバネ機構と、バネ機構のバネ力の解放を調整するダンパーとが内蔵されていることを特徴とする自閉式引戸装置。
【請求項５】
請求項１〜３のいずれか記載の自閉式引戸装置において、駆動ユニットには歯車を回転させるモータが内蔵されていることを特徴とする自閉式引戸装置。
【発明の詳細な説明】
【０００１】
【発明の属する技術分野】
本発明は、開放された引戸を自動的に閉止させる自閉式引戸装置に関する。
【０００２】
【従来の技術】
この種の従来の自閉式引戸装置としては、例えば図１２に示す自閉式引戸装置がある。この自閉式引戸装置９は、引戸１の上端部の戸尻側に歯車９０ａを突出させた駆動装置９０を備え、上部のレール９３の内部に固定したラック９４と係合し、駆動装置９０内部にゼンマイを設け、引戸を開く時にゼンマイに駆動力を蓄積し、駆動力を解放して自閉するものである。
なお、この駆動装置９０はランナ部材９１を備え、戸先側に設けたランナ部材９２とともに引戸１を上部で吊っている。
【０００３】
【発明が解決しようとする課題】
図１２に示した自閉式引戸装置９は、駆動装置９０がランナ部材９１と一体になったものであり、また、レール９３はこの自閉式引戸装置９に専用のものであり、既存の引戸を自閉式引戸装置に改装するためには、引戸を駆動ユニット９０が取付くように作り直し、専用のレール９３に交換し、ランナ部材９１と一体になった駆動ユニット９０を取付ける必要があり、大変手間がかかる作業となり、大幅なコストアップになるという問題がある。
【０００４】
また、この自閉式引戸装置９は、上吊式の引戸に限定された設計となっており、下荷重式の引戸などへの適用には新規設計が必要となり、汎用性がなかった。
【０００５】
本発明は、このような問題点を考慮してなされたもので、既存の引戸を簡単に改装できる自閉式引戸装置及び改装容易な自閉引戸ユニットを提供することを課題とする。
【０００６】
さらに、上吊式の引戸、下荷重式の引戸に限定されず使用可能な汎用性の高い自閉引戸ユニットを提供することを課題とする。
【０００７】
【課題を解決するための手段】
前述の課題を解決するため、本発明に係る自閉式引戸装置は、次のような手段を採用する。
【０００８】
即ち、請求項１に記載のように、上框面などに固定され下方に略々Ｌ字状に対向する対の走行面を備えるレールとレールの走行面を走行するランナ部材を引戸の上端面に備えた上吊式の引戸装置において、シート状を呈して表面に歯車面を有するラックシートと、上記歯車面に係合する歯車機構が突出されてなる駆動ユニットとからなる自閉引戸ユニットを備え、前記ラックシートは、前記レールの走行面の外側に沿うと同時に少なくともレールの長さ方向の中間部にわたって固着され、前記駆動ユニットは、引戸の開閉方向における戸板の略々中央の上端面に埋設され、該駆動ユニットには引戸の解放位置から閉鎖位置に向かって歯車機構に駆動力を付与する駆動機構が内蔵されることを特徴とする。
【０００９】
この手段では、上吊式の引戸装置の上レールを利用してラックシートがレールの走行面の外側に沿って固着され、戸板の略々中央の上端面に駆動ユニットがランナ部材と独立して埋設され、これによって自閉式装置が引戸に付加される。
【００１０】
また、請求項２に記載のように、床面または下框面などに固定されるレールとレールを走行するランナ部材を引戸の下端面に備えた下荷重式の引戸装置において、シート状を呈して表面に歯車面を有するラックシートと、上記歯車面に係合する歯車機構が突出されてなる駆動ユニットとからなる自閉引戸ユニットを備え、前記ラックシートは、上框面に沿うと同時に少なくとも上框面の長さ方向の中間部にわたって固着され、前記前記駆動ユニットは、引戸の開閉方向における戸板の略々中央の上端面に埋設され、駆動ユニットには引戸の解放位置から閉鎖位置に向かって歯車機構に駆動力を付与する駆動機構が内蔵されることを特徴とする。
【００１１】
この手段では、下荷重式の引戸装置に対して、ラックシートが上框面に固着され、駆動ユニットがランナ部材と独立して埋設されて、自閉式装置が引戸に付加される。
【００１２】
また、請求項３に記載のように、請求項１または２記載の自閉式引戸装置において、ラックシートの裏面には両面シートが敷設されていることを特徴とする
【００１３】
この手段では、ラックシートは裏面の両面シートで、取付スペースをとらずに敷設される。
【００１４】
また、請求項４に記載のように、請求項１〜３のいずれか記載の自閉式引戸装置において、駆動ユニットには回転によってバネ力を蓄積するバネ機構と、バネ機構のバネ力の解放を調整するダンパーとが内蔵されていることを特徴とする。
【００１５】
この手段では、バネ機構とダンパーによる駆動ユニットを用いた歯車機構または摩擦車機構がラックまたは上框面などと係合し、引戸の開放に伴って駆動力を蓄積するとともにダンパーが作用した自閉を可能にする。
【００１６】
また、請求項５に記載のように、請求項１〜３のいずれか記載の自閉式引戸装置において、駆動ユニットには歯車を回転させるモータが内蔵されていることを特徴とする。
【００１７】
この手段では、モータ内蔵の駆動ユニットを用いた歯車機構または摩擦車機構がラックまたは上框面などと係合し、引戸の自閉を可能にする。
【００１８】
さらに、前述の課題を解決するため、本発明に係る自閉引戸ユニットは、次のような手段を採用する。
【００３７】
【発明の実施の形態】
以下、本発明に係る自閉式引戸装置及び自閉引戸ユニットについて、その実施の形態を図面に基づいて説明する。
【００３８】
図１〜図４は、本発明に係る自閉式引戸装置及び自閉引戸ユニットの実施の形態（１）を示すものである。
【００３９】
この実施の形態における自閉式引戸装置１００は、上部をランナ部材で吊られ、下部をガイドされた上吊式の引戸装置を自閉可能としたものであり、自閉引戸ユニット１５０はその引戸の駆動用ユニットである。
【００４０】
自閉式引戸装置１００は、引戸１と、自閉引戸ユニット１５０と、上部のレール２と、ランナ部材３と、下部ガイド６とで主に構成される。
【００４１】
自閉引戸ユニット１５０は、引戸１の上端面１１と上框面Ｕの間に取付けされ、引戸１を開放位置から閉鎖位置へと自閉させるためのものであって、レール２に固着されるラックシート４と、駆動ユニット５とからなる。
【００４２】
ラックシート４は、シート状を呈してレール２の走行面２１の外側２２に沿うと同時に、引戸１の全閉時の略々中央位置Ａ１から少なくともレール２の長さ方向の中間部Ａにわたって表面に歯車面４１を有し、歯車機構５１と組み合わせられて歯車機構５１を回転させるものである。ラックシート４の裏面４２には両面シートが敷設されて、ラックシート４をレール２の走行面２１の外側２２に固着させている。なお、ラックシート４はビスによる固定や接着剤による固定としても構わない。
【００４３】
駆動ユニット５は、ラックシート４の歯車面４１に係合する歯車機構５１が突出されてなり、引戸１の開閉方向における戸板の略々中央の上端面に埋設されている。また、駆動ユニット５には、引戸１の解放位置から閉鎖位置に向かって歯車機構５１に駆動力を付与する駆動機構５２が内蔵されている。
そして、駆動ユニット５は、上端面１１に取付けされるハウジング５３で囲われている。したがって、歯車機構５１は、ハウジング５３に内蔵され、引戸１の開放に伴って回転するものである。
【００４４】
駆動機構５２は、回転によってバネ力を蓄積するバネ機構５２ａと、バネ機構５２ａのバネ力の解放を調整するダンパー５２ｂとからなり、ハウジング５３に内蔵されており、駆動ユニット５に内蔵されている。なお、バネ機構５２ａとしては通常、ゼンマイが使用されるが、ゼンマイに限らず回転によってバネ力を蓄積する機構であれば構わない。
【００４５】
ハウジング５３は、引戸１の上端面１１に埋め込み可能な狭幅に形成され、歯車機構５１側に位置しており、ハウジング５３には座金５３１が延設されている。
【００４６】
レール２は、上框面Ｕなどに固定され下方に略々Ｌ字状に対向する対の走行面２２を備えたものであり、このレール２の走行面２１の外側２２に沿ってラックシート４が設けられている。なお、レール２は、彫り込まれたレール溝に設けられても構わない。
【００４７】
引戸１は、上吊式の引戸であり、引戸１には、駆動ユニット５を組み込むための挿入穴１２が引戸１の開閉方向における戸板の略々中央の上端面１１に堀り込まれている。
【００４８】
ランナ部材３は、レール２の走行面２１を走行するもので、引戸１の上端面１１に２個備えられ、引戸１を吊っている。また、下部ガイド６は、引戸１の戸尻１３側近傍の床面Ｆに固定され、引戸下部のガイド溝６１と嵌合して引戸１の振れ止めを行うものである。
【００４９】
以上の構成による自閉式引戸装置１００の取付について、以下に説明する。
【００５０】
まず、既存の建て込まれている引戸からランナ部材３をレール２内に残して引戸１を取り外す。そして、レール２の走行面２１の外側２２に沿って、引戸１の全閉時の略々中央位置Ａ１から少なくともレール２の長さ方向の中間部Ａにわたって（Ａ１位置まで）ラックシート４を固着させる。
【００５１】
そして、予め自閉引戸ユニット１５０の取付けられた引戸１を近づけ、ラックシート４の歯車面４１に駆動ユニット５の歯車機構５１を噛合わせながら取付ける。ここで、引戸１の取付位置は全閉状態として、駆動ユニット５の駆動機構５２、すなわち、バネ機構５２ａが引戸１を開いた際に、回転によってバネ力を蓄積可能とする。
【００５２】
また、引戸１を取付けた状態でラックシート４の歯車面４１と歯車機構５１の歯車の噛合が不十分な場合（噛合が少ない、または、噛合がきつすぎる）は、ランナ部材３の上下調整機構２３により調整を行って、最適な噛合が可能なようにする。
【００５３】
なお、駆動ユニット５は既存の引戸を追加工して後付け可能な構成となっているので、既存の建て込まれている引戸を改造（挿入孔１２を堀り込む）して駆動ユニット５を取付けることも可能である。
【００５４】
次に、自閉式引戸装置１００及び自閉引戸ユニット１５０の作動について、以下に説明する。
【００５５】
引戸１を解放位置から閉鎖位置に向かって移動させると、引戸１の移動に同期して駆動ユニット５の歯車機構５１がレール２に固着されたラックシート４の歯車面４１と係合して回転する。
そして、歯車機構５１の回転は、駆動機構５２に伝えられ、バネ機構５２ａにバネ力が蓄積される。具体的には、バネ機構５２ａのゼンマイが巻かれることになる。なお、引戸１が前回状態になる位置で最大のバネ力が蓄積されることになる。この時、駆動ユニット５は、引戸１の全閉状態のＡ１の位置から全開状態のＡ２の位置まで移動することになる。駆動ユニット５がＡ２の位置まで来るとそれ以上移動できないように図示しないストッパが設けられ、駆動機構５２がラックシート４との噛合をはずれることのないようにされている。
【００５６】
つぎに、引戸１から手を離すと、引戸１は開放位置から閉鎖位置に向かって駆動機構５２に付与された駆動力（バネ機構５２ａに蓄積されたバネ力）により、歯車機構５１がラックシート４１上を回転して自閉するようになる。その際、ダンパー５２ｂにより、バネ力の解放を調整されるので、引戸１は移動速度が抑えられて閉鎖位置に向かって移動可能となる。なお、駆動機構５２には、引戸１の閉鎖位置で初期荷重を与えられており、確実に自閉が可能となっている。
【００５７】
この実施の形態（１）によれば、上吊式の引戸装置において、上部のレール２の外側に沿ってレール２の表面にシート状のラックシート４が固着され、ラックに係合する歯車機構５１が突出された駆動ユニット５が戸板の上端面１１に埋設され、駆動ユニット５には歯車機構５１に駆動力を付与する駆動機構５２が内蔵されているので、上部のランナ部材３に影響を与えることなくラックシート４を取付けることができる。これにより、既存のランナ部材３をそのまま利用し、引戸１の上端部１１を改造することで自閉式引戸にすることができ、安価な自閉式引戸装置、自閉引戸ユニットとすることができる。
【００５８】
また、引戸の上端面を改造して駆動ユニット５を埋設することで突出された歯車機構５１以外を見えなくすることができ、外観を損なうことがない自閉式引戸装置、自閉引戸ユニットが得られる。
【００５９】
図５〜図６は、この発明の実施の形態（２）を示すものである。
【００６０】
この実施の形態における自閉式引戸装置２００は、下部をランナ部材で支持され、上部をガイドされた下荷重式の引戸装置を自閉可能としたものであり、自閉引戸ユニット１５０はその引戸の駆動用ユニットである。したがって、実施の形態（１）に対し、引戸１の支持方法が異なるが、自閉引戸ユニット１５０は同じものを使用可能としている。
【００６１】
自閉式引戸装置２００は、引戸１と、自閉引戸ユニット１５０と、上部のガイドレール２０２と、下部のランナ部材２０３とで主に構成される。
【００６２】
ラックシート４は、上部のガイドレール２０２の内側下面２０２ａに固着される。ラックシート４は上框面２０２ｂに直接取付けても構わない。
【００６３】
ガイドレール２０２は、上框面Ｕなどに固定され下方に引戸１のガイド片２０２ｂを備えたものであり、引戸１は、ガイド片２０２ｂで上部を支持される。
【００６４】
ランナ部材２０３は、床面Ｆに固定されるレール２０３ａの走行面２２１を走行するもので、引戸１の下端面１１に２個備えられ、引戸１を支持している。また、上下調整機構２３が設けられ、高さ調整可能としている。
【００６５】
この実施の形態の自閉式引戸装置２００によれば、下荷重式の引戸装置において、実施の形態（１）と同様の作用、効果が奏される。また、ラックシート４の取付場所が実施の形態（１）に比べて広い範囲にできるので、広幅の歯車面４１を有するラックシートを使うなど、設計の自由度が高くなる。
【００６６】
図７〜図８は、この発明の実施の形態（３）を示すものである。
【００６７】
この実施の形態における自閉式引戸装置３００は、実施の形態（２）の歯車機構５１を摩擦車機構３５１に変更し、ラックをなくしたものである。
【００６８】
摩擦車機構３５１は、上部のガイドレール２０２の内側下面２０２ａに直接当接させて摩擦係合させるものである。したがって、ガイドレール２０２及び摩擦車機構３５１の間の摩擦係数が高い材料を選択するのが望ましい。または、ガイドレール２０２と摩擦車機構３５１の摩擦面３０１に、摩擦係数を高めるライナーを貼り付けることも有効である。
【００６９】
なお、摩擦車機構３５１とすることでダンパー５２ｂに駆動力を伝達するために、ダンパー５２ｂ駆動用の小さな歯車３５１ａを摩擦車機構３５１と連結させて設けておく必要がある。
【００７０】
なお、駆動ユニット５には、実施の形態（１）で示した駆動機構５２としてバネ機構５２ａを使用している。
【００７１】
この実施の形態（３）の自閉式引戸装置３００によれば、下荷重式の引戸装置において、実施の形態（１）と同様の作用、効果が奏されることに加え、ラックをなくし、歯車を摩擦車にできる（歯を切らなくて済む）ので、より安価な自閉式引戸装置３００、自閉引戸ユニット３５０とすることができる。
【００７２】
なお、図示はしないが、実施の形態（１）に示したように、レール２の走行面２１の外側２２の面に摩擦車機構３５１を当接させる形態をとることも可能である。
【００７３】
図９は、この発明の実施の形態（４）を示すものである。
【００７４】
この実施の形態では、実施の形態（１）〜（３）の駆動ユニット５を変更したものである。
【００７５】
すなわち、駆動機構５２として、モータ５２Ｍを使用している。モータ５２Ｍと歯車機構５１はベルト５４で連結され、歯車機構５１は駆動される。この場合、モータ５２Ｍは自閉の速度制御が可能なので、ダンパー５２ｂは省略されている。また、簡単なマイコンなどの制御機構（図示しない）が設けられる。なお、モータ５２Ｍは台座５５でハウジング５３に固定されている。
【００７６】
このモータ５２Ｍによる駆動機構５２を例えば実施の形態（１）の駆動機構５２に適用すると、引戸１が開かれる際、歯車機構５１が回転した回転数をマイコンに記憶し、自閉動作において記憶した回転数だけモータを回転させ、歯車機構５１がラックシート４上を動くことで引戸１を閉じ方向に移動させる。
【００７７】
この実施の形態（４）によれば、実施の形態（１）と同様の作用、効果が奏されることに加え、駆動機構５２としてモータ５２Ｍを使用したので、ダンパー５２ｂを省略することができるとともに、自閉の速度制御がマイコンなどで容易に可能となる。
【００７８】
図１０〜図１１は、この発明の実施の形態（５）を示すものである。
【００７９】
この実施の形態における自閉式引戸装置４００は、実施の形態（２）で引戸１の上端部に設けられた歯車機構５１を引戸１の下端部に変更して設けたものである。
【００８０】
自閉引戸ユニット１５０はその引戸１の駆動用ユニットである。したがって、実施の形態（２）に対し、自閉引戸ユニット１５０の取付向きを逆にしただけで、自閉引戸ユニット１５０は同じものを使用可能としている。
【００８１】
自閉式引戸装置４００は、引戸１と、自閉引戸ユニット１５０と、上部のガイドレール２０２と、下部のランナ部材２０３と、下部のレール４０１とで主に構成される。
【００８２】
ラックシート４は、下部のレール４０１に走行面４２１と平行して、床面Ｆから堀り込まれたラック溝４０２の下面４０２ａに固着される。なお、ラックシート４は床面Ｆに直接取付けても構わない。
【００８３】
この実施の形態の自閉式引戸装置４００によれば、下荷重式の引戸装置において、下部に引戸自閉ユニット１５０を取付けられ、実施の形態（１）と同様の作用、効果が奏される。したがって、引戸１の上端面をフリーにでき、他の装置を組み込むことを可能にする。
【００８４】
なお、図示しないが引戸１の框面Ｕに駆動ユニット５のハウジング５３を取付けることも可能である。この場合、ハウジング５３の取付位置は戸尻１３側となり、ラックは引戸１の端面の略々全幅にわたって取付けられる。この形態は、実施の形態（２）（３）に対しては、上部で可能であり、実施の形態（１）（４）に対しては、下部で可能である。
【００８５】
また、実施の形態（４）以外の各実施の形態に共通するが、ダンパー５２ｂに加えて双方向クラッチ（図示しない）を設けることもできる。この双方向クラッチは、一定以上の力が作用するとクラッチの特性が反転するものであり、引戸を所定の位置で停止するとその位置でこの双方向クラッチが作動してその位置を保持することができる。
【００８６】
そして、引戸を閉じる方向に一定以上の力を加えると、この双方向クラッチの特性が反転して、引戸を閉じることができる。
【００８７】
【発明の効果】
以上のように、本発明の請求項１に係る自閉式引戸装置は、上吊式の引戸装置の上レールを利用し、ラックシートがレールの走行面の外側に沿って固着され、戸板の略々中央の上端面に埋設された駆動ユニットがランナ部材と独立して埋設されて歯車機構と係合し、引戸の開放に伴って駆動力を蓄積し自閉を可能にする。これにより、既存のランナ部材をそのまま利用し、引戸の上部を改造することで自閉式引戸にすることができ、安価な自閉式引戸装置とすることができる。
【００８８】
また、本発明の請求項２に係る自閉式引戸装置は、下荷重式の引戸装置に対して、ラックシートが上框面に固着され、駆動ユニットがランナ部材と独立して埋設されて、請求項１と同様の効果を得ることができる。
【００８９】
本発明の請求項３に係る自閉式引戸装置は、歯車機構を用いることなく駆動ユニットの摩擦車機構が上框面などと係合し、引戸の開放に伴って駆動力を蓄積して自閉を可能にする。これにより、組み付けがより簡単になり、安価な自閉式引戸装置とできる。
【００９０】
また、本発明の請求項６に係る自閉引戸ユニットは、歯車機構と駆動機構がハウジングに内蔵されて駆動ユニットが構成され、ランナ部材と独立して設けられる。そして、駆動ユニットは、引戸の上部及び下部の端面または框面に取付け可能で、ラックシートが組み合わせられて自閉を可能にするので、上吊式の引戸、下荷重式の引戸に限定されず、また、引戸の上部にも下部にも取付可能な汎用性の高い自閉引戸ユニットが得られるという効果がある。
【００９１】
また、本発明の請求項１１に係る自閉引戸ユニットは、摩擦車機構と駆動機構がハウジングに内蔵されて駆動ユニットが構成され、ランナ部材と独立して設けられる。駆動ユニットは、引戸の上部及び下部の端面または框面に取付け可能であるので、請求項６と同様の効果が得られるとともに、組み付けがより簡単になり、安価な自閉式引戸装置とできる。
【図面の簡単な説明】
【図１】  本発明に係る自閉式引戸装置の実施の形態（１）を示す斜視図である。
【図２】  本発明に係る自閉式引戸装置の実施の形態（１）における正面図である。
【図３】  本発明に係る自閉式引戸装置の実施の形態（１）の要部を示す拡大斜視図である。
【図４】  本発明に係る自閉式引戸装置の実施の形態（１）における側面図である。
【図５】  本発明に係る自閉式引戸装置の実施の形態（２）における正面図である。
【図６】  本発明に係る自閉式引戸装置の実施の形態（２）における側面図である。
【図７】  本発明に係る自閉式引戸装置の実施の形態（３）における正面図である。
【図８】  本発明に係る自閉式引戸装置の実施の形態（３）における側面図である。
【図９】  本発明に係る自閉式引戸装置の実施の形態（４）における正面図、側面図である。（ａ）は正面断面図、（ｂ）は側面図である。
【図１０】  本発明に係る自閉式引戸装置の実施の形態（５）における正面図である。
【図１１】  本発明に係る自閉式引戸装置の実施の形態（５）における側面図である。
【図１２】  従来例の自閉式引戸装置を示す三面図である。（ａ）は正面図、（ｂ）は右側面図、（ｃ）は左側面図である。
【符号の説明】
１                引戸
２                レール
３                ランナ部材
４                ラックシート
５                駆動ユニット
６                下部ガイド
９                自閉式引戸装置
１１              上端面
１２              挿入孔
１３              戸尻
２１              走行面
２２              外側
４１              歯車面
４２              裏面
５１              歯車機構
５２              駆動機構
５２ａ            バネ機構
５２ｂ            ダンパー
５２Ｍ            モータ
５３              ハウジング
９０              駆動装置
１００            自閉式引戸装置
１５０            自閉引戸ユニット
２００            自閉式引戸装置
２０２            ガイドレール
２０３            ランナ部材
２０３ａ          レール
２２１            走行面
３００            自閉式引戸装置
３５０            自閉引戸ユニット
３５１            摩擦車機構
５３１            座金
【図１】
0004037075.tif 000002
【図２】
0004037075.tif 000003
【図３】
0004037075.tif 000004
【図４】
0004037075.tif 000005
【図５】
0004037075.tif 000006
【図６】
0004037075.tif 000007
【図７】
0004037075.tif 000008
【図８】
0004037075.tif 000009
【図９】
0004037075.tif 000010
【図１０】
0004037075.tif 000011
【図１１】
0004037075.tif 000012
【図１２】
0004037075.tif 000013